(57)【要約】【課題】  薄型で均一な照明明るさが得られる表示板を得る。【解決手段】  透過性基板１１の上面に表示層１３を設け、透過性基板１１の下面１１ｂに光源１５を中心にして形成した複数並んだＶ字形突起１１ａ又はＶ字形凹溝を設けて表示板１０を構成する。Ｖ字形突起１１ａ又はＶ字形凹溝は光源１５を中心に同心円のサークル状の模様に、又は光源１５を中心に放射目状の模様に形成する。そして、複数のＶ字形突起１１ａ又はＶ字形凹溝のピッチ間隔は光源１５に近い所は広く、光源１５から遠のくに従ってピッチ間隔を狭くする。【選択図】        図１
2006208221.tif 000002
【特許請求の範囲】
【請求項１】
上面側に表示層を有し、下面側に反射手段を有する光透過性基板からなる表示板であって、前記反射手段は、前記光透過性基板の側面側に配設される光源を中心にして前記透過性基板の下面に複数並べて形成したＶ字形突起又はＶ字形凹溝からなることを特徴とする表示板。
【請求項２】
前記複数並べて形成したＶ字形突起の相隣るＶ字形突起の間に、又はＶ字形凹溝の相隣るＶ字型凹溝の間に、平坦面を有することを特徴とする請求項１に記載の表示板。    
【請求項３】
前記複数並べて形成しＶ字形突起又はＶ字形凹溝の幅は２０〜７０μｍであることを特徴とする請求項１又は２に記載の表示板。
【請求項４】
前記複数並べて形成しＶ字形突起又はＶ字形凹溝は鏡面になっていることを特徴とする請求項１乃至３のいずれか１項に記載の表示板。
【請求項５】
前記複数並べて形成したＶ字形突起又はＶ字形凹溝はサークル模様又は放射目模様を成していることを特徴とする請求項１乃至４のいずれか１項に記載の表示板。
【請求項６】
前記サークル模様は、光源を中心にして同心円状に設けられ、光源から遠のくに従ってサークルのピッチが小さくなっていることを特徴とする請求項５に記載の表示板
【請求項７】
前記放射目模様は、光源から遠のくに従って放射目の数が多くなっていることを特徴とする請求項５に記載の表示板。
【請求項８】
前記光源は前記透過性基板の略中心線上の左右に２個設けられ、前記複数並べて形成したＶ字形突起又はＶ字形凹溝は左右対称に設けられていることを特徴とする請求項１乃至７のいずれか１項に記載の表示板
【請求項９】
前記透過性基板の下面は、基板の外周側から基板の中心側に向かうに従って立ち上がりの傾斜を有することを特徴とする請求項１乃至８のいずれか１項に記載の表示板。
【請求項１０】
前記Ｖ字形突起又はＶ字形凹溝が設けられた前記光透過性基板の下面に反射膜を設けたことを特徴とする請求項１乃至９のいずれか１項に記載の表示板。
【請求項１１】
前記表示層と前記光透過性基板との間に光拡散層を有することを特徴とする請求項１に記載の表示板。
【請求項１２】
表示板の照明構造を備えた電子表示機器において、前記請求項１乃至１１のいずれか１項に記載の表示板を備え、表示板の明るさを均一に照明すると共に表示機器を薄型にしたことを特徴とする電子表示機器。
【発明の詳細な説明】
【技術分野】
【０００１】
本発明は、時計の表示板や自動車の計器表示板、その他各種の電子表示機器の表示板に関する。
【背景技術】
【０００２】
時計の一部の表示板や自動車の計器表示板、その他各種の電子表示機器の表示板において、夜間などの暗がりでも表示が読み取れるように照明装置を備えている。その照明装置の多くは、表示板の背面にバックライトを備えた照明構造を取っている。例えば、携帯時計などにおいては、透過性の表示板の背面側にＥＬ（エレクトロルミネッセンス）を配設し、ＥＬを発光させて表示板を照明する構造を取っている。しかしながら、ＥＬを用いる照明構造は時計全体の厚みを比較的薄くすることが可能であるが、ＥＬの発光輝度が低いがために表示板の表示明るさも低く、しかも、照明色調に制限があると云う問題を持っている。そこで、表示明るさを明るくするために、表示板の側面側にＬＥＤなる光源を配設して表示板を照明する構造も一部において用いられてきている。図１１は、携帯時計の表示板の側面側にＬＥＤなる光源を配設して表示板を照明する従来の照明構造を示したもので、図１１の（ａ）は平面図、図１１の（ｂ）は側面図を示している。
【０００３】
以下、携帯時計の表示板の場合について図１１を用いて従来技術を説明する。表示板１は透過性基板２の上面に時字からなる指標３が設けられている。透過性基板２は透明なポリカーボネイト樹脂などから形成されていて、その表面には塗料などを用いての表示板としての装飾などが施されている。表示板１の左右両側にＬＥＤからなる光源４が２個配設されており、光源４の発光によって表示板１が両側から照明される構造を取っている。表示板１の側面側に配設した光源４が発光して、その光が透明なポリカーボネイト樹脂などから形成した透過性基板２の内部に入射し、その入射した光でもって表示板１を照明する構造になっている。
【発明の開示】
【発明が解決しようとする課題】
【０００４】
しかしながら、この構造は、図１１の（ａ）に示すように、左右の光源４に近い部分の領域Ａ１とＡ２は明るく照明されるが斜線で示した領域Ｂは暗くなって、はっきりとその照明明るさのムラが視認されるようになる。このように、光源から遠くになるに従って暗くなって明るさにムラが現れ、外観的や機能的にも劣って高級時計には使えないと云う問題を持っている。
【０００５】
このような構造を取る限りにおいては、携帯時計の表示板のみならず他の電子表示機器の表示板でも同様なことが起きる。この問題は光源の数を増やすことによってある程度の解消を図ることができる。しかしながら、光源の数を増やすとコストアップにつながり、また、配設スペースも広く必要とすると云う問題が新たに生まれる。特に、携帯時計のように限られた大きさのものは、光源の数を増やさないで明るい照明、ムラのない照明が求められる。
【０００６】
本発明は、上記課題に鑑みて成されたもので、光源の数を増やさずに明るい照明、ムラのない照明が得られる表示板を得ることを目的とする。また、明るくムラのない照明を薄い表示板の中で達成させ、表示機器の薄型化を達成させるものである。
【課題を解決するための手段】
【０００７】
上記の課題を解決するための手段として、本発明の請求項１に記載の表示板は、上面側に表示層を有し、下面側に反射手段を有する光透過性基板からなる表示板であって、前記反射手段は、前記光透過性基板の側面側に配設される光源を中心にして前記透過性基板の下面に複数並べて形成したＶ字形突起又はＶ字形凹溝からなることを特徴とするものである。尚、本発明におけるＶ字形突起はＶ字形状の連なった突起を云う。
【０００８】
また、本発明の請求項２に記載の表示板は、前記複数並べて形成したＶ字形突起の相隣るＶ字型突起の間に、又はＶ字形凹溝の相隣るＶ字型凹溝の間に、平坦面を有することを特徴とするものである。
【０００９】
また、本発明の請求項３に記載の表示板は、前記複数並べて形成しＶ字形突起又はＶ字形凹溝の幅は２０〜７０μｍであることを特徴とするものである。
【００１０】
また、本発明の請求項４に記載の表示板は、前記複数並べて形成しＶ字形突起又はＶ字形凹溝は鏡面になっていることを特徴とするものである。
【００１１】
また、本発明の請求項５に記載の表示板は、前記複数並べて形成したＶ字形突起又はＶ字形凹溝はサークル模様又は放射目模様を成していることを特徴とするものである。
【００１２】
また、本発明の請求項６に記載の表示板は、前記サークル模様は、光源を中心にして同心円状に設けられ、光源から遠のくに従ってサークルのピッチが小さくなっていることを特徴とするものである。
【００１３】
また、本発明の請求項７に記載の表示板は、前記放射目模様は、光源から遠のくに従って放射目の数が多くなっていることを特徴とするものである。
【００１４】
また、本発明の請求項８に記載の表示板は、前記光源は前記透過性基板の略中心線上の左右に２個設けられ、前記複数並べて形成したＶ字形突起又はＶ字形凹溝は左右対称に設けられていることを特徴とするものである。
【００１５】
また、本発明の請求項９に記載の表示板は、前記透過性基板の下面は、基板の外周側から基板の中心側に向かうに従って立ち上がりの傾斜を有することを特徴とするものである。
【００１６】
また、本発明の請求項１０に記載の表示板は、前記Ｖ字形突起又はＶ字形凹溝が設けられた前記光透過性基板の下面に反射膜を設けたことを特徴とするものである。
【００１７】
また、本発明の請求項１１に記載の表示板は、前記表示層と前記光透過性基板との間に光拡散層を有することを特徴とするものである。
【００１８】
また、本発明の請求項１２に記載の電子表示機器は、表示板の照明構造を備えた電子表示機器において、前記請求項１乃至１１のいずれか１項に記載の表示板を備え、表示板の明るさを均一に照明すると共に表示機器を薄型にしたことを特徴とするものである。
【発明の効果】
【００１９】
発明の効果として、本発明の表示板は、上面側に表示層を有し、下面側に反射手段を有する光透過性基板からなって、反射手段は、光透過性基板の側面側に配設される光源を中心にして複数並べて形成したＶ字形突起またはＶ字形凹溝からなる。側面側から光透過性基板内に入射した光をＶ字形突起またはＶ字形凹溝のＶ斜面で反射させ、そして、表示層側に放射させて表示層を照明する構造を取る。Ｖ字形突起またはＶ字形凹溝を光源を中心にして複数並べて設けていることから、Ｖ斜面からの反射光が多くなり、且つ、光源から同一距離に当たる所は明るさが同じになる。
【００２０】
また、Ｖ字形突起またはＶ字形凹溝を、請求項５、６、７に記載の如く、サークル模様又は放射目模様に形成し、サークル模様は光源を中心にして同心円状に、光源から遠のくに従ってサークルのピッチが小さくなっている。同様に、放射目模様は光源から遠のくに従って放射目の数が多くなっている。これによって、光源から遠のくに従ってＶ斜面からの反射光が多く得られ、照明明るさが全体に渡って均一になるようになる。
【００２１】
また、Ｖ字形突起またはＶ字形凹溝は、請求項４に記載の下では、鏡面になっている。これにより、鏡面になったＶ斜面で全反射を起こし、多くの反射光量を表示層に放射させて表示層を尚一層明るく照明する。
【００２２】
また、本発明の請求項３に記載の如く、Ｖ字形突起又はＶ字形凹溝の幅を２０〜７０μｍにすると、反射効率が悪くならず、しかも、Ｖ字形突起又はＶ字形凹溝が視認されず、良い外観的品質が得られる。
【００２３】
また、本発明の請求項２に記載の如く、複数並べて形成したＶ字形突起の相隣るＶ字型突起の間に、又はＶ字形凹溝の相隣るＶ字型凹溝の間に、平坦面を設けると、外光がその平坦面の部分から下方に透過する。表示板の下方にソーラーセルを設けた構造のものに対しても適用させることができ、照明とソーラーセル発電の両方の機能を持たせて表示板にすることができる。
【００２４】
また、本発明の請求項８に記載の如く、光源が前記透過性基板の略中心線上の左右に２個設けられている場合は、複数並べて形成したＶ字形突起又はＶ字形凹溝を左右対称に設けることにより、表示板の左右の照明明るさが均一になる。
【００２５】
また、本発明の請求項９に記載の如く、透過性基板の下面を、基板の外周側から基板の中心側に向かうに従って立ち上がりの傾斜を持たせると、光源から遠のいても光源からの多くの光がＶ字形突起またはＶ字形凹溝のＶ斜面に入射するようになる。そして、光源から遠のいてもＶ斜面での反射光量が多くなり、明るさが増す効果を生む。
有することを特徴とするものである。
【００２６】
また、本発明の請求項１０に記載の如く、Ｖ字形突起又はＶ字形凹溝を設けた光透過性基板の下面に反射膜を設けると、反射率が高められより明るい照明が得られる。
【００２７】
また、本発明の請求項１１に記載の如く、表示層と光透過性基板との間に光拡散層を設けることにより、Ｖ字形突起またはＶ字形凹溝から上方に向かって反射された光はこの拡散層で拡散される。光を拡散して照明明るさを均一にさせる。
【００２８】
また、表示板の照明構造を備えた電子表示機器にあっては、本発明の表示板を用いることにより表示板全体が均一に明るく照明された表示機器が得られる。また、表示板とその側面に配設する光源だけでの構造であるから、表示機器は表示板の厚みだけを考慮して設計すれば良いので、格段と薄くした薄型化が可能になる。
【発明を実施するための最良の形態】
【００２９】
以下、本発明を実施するための最良の形態を図１〜図１０を用いて説明する。尚、本発明の表示板の実施形態を説明するに当たり時計用表示板を用いて説明する。しかしながら、本発明の表示板は時計用表示板に限らず他の計器類の表示板や電子表示機器の表示板、或いは単体で用いられる表示板にも共通して適用できるものである。ここで、図の説明を行う。図１は本発明の第１実施形態に係る時計用表示板の構成を示す図で、図１の（ａ）は平面図、図１の（ｂ）は図１の（ａ）におけるＤ−Ｄ断面図を示している。また、図２は図１における表示板の背面を模式的に表した背面図、図３は図１の（ｂ）におけるＥ部拡大断面図を示している。また、図４は本発明の第２実施形態に係る時計用表示板の要部断面図で、図５は図４におけるＦ部の拡大図を示している。また、図６は本発明の第３実施形態に係る時計用表示板の要部断面図で、図７は図６におけるＧ部の拡大図を示している。また、図８は本発明の第４実施形態に係る時計用表示板の構成を示す図で、図８の（ａ）は平面図、図８の（ｂ）は図８の（ａ）におけるＤ−Ｄ断面図を示している。また、図９は図８における表示板の背面を模式的に表した背面図で、図１０は図９におけるＨ部の要部を拡大して示した斜視図で、背面から見た斜視図を示している。
【００３０】
最初に、本発明の第１実施形態に係る時計用表示板について図１、図２、図３を用いて説明する。この表示板１０は、図１の（ａ）に示すように、外径が丸く、その中心に指針取付け用の中心穴１１ｃを持っている。また、この表示板１０は、下面側に反射手段を設けた光透過性基板１１と、この光透過性基板１１の上面側に設けた表示層１３とから構成される。表示層１３は装飾膜１３ｂと時計の時字などを示す指標１３ａとから構成される。また、この表示板１０の左右の側面側にＬＥＤからなる光源１５が２個配設されている。この２個の光源１５は左右均等な明るさに照明するために表示板１０のほぼ中心線上に設けている。光透過性基板１１の下面側に設けた反射手段は、図１の（ｂ）及び図２に示すように、透過性基板１１の下面１１ｂに複数並べて形成したＶ字形の連なる突起（本発明では、以降、Ｖ字形突起と呼んで説明する）１１ａからなり、このＶ字形突起はＶの字形をなして下面１１ｂより突出していて、光源１５を中心にして同心円でもってサークル模様状に形成されているものである。そして、この表示板１０は、複数並べてサークル状に形成したＶ字形突起１１ａの反射手段を用いて光源１５からの入射光を表示層１３側に光を反射し、表示層１３を明るく照明する構造を取っている。また、図示はしていないが、この表示板１０の下面側にはソーラーセルが配設されている。
【００３１】
このＶ字形突起１１ａは光源１５を中心にして同心円状に設けられるが、表示板１０の左右両側に２個の光源１５を持っていることから、光透過性基板１１には、図２に示すように、光透過性基板１１の右半分には右側の光源１５を中心にして形成した同心円状の複数のＶ字形突起１１ａが設けられ、左半分には左側の光源１５を中心にして形成した同心円状の複数のＶ字形突起１１ａが設けられている。従って、右半分のＶ字形突起１１ａと左半分のＶ字形突起１１ａは表示板の中心で左右対称になっている。
【００３２】
このＶ字形突起１１ａは、図３に示すように、光透過性基板１１の下面１１ｂ側において、光源１５に近い方はピッチｐ１が広く、光源１５から遠くになるに従ってピッチｐ２は狭くなっていて、光源１５から遠のくに従ってＶ字形突起１１ａはだんだん密の状態になって形成されている。また、相隣るＶ字形突起１１ａの間には平坦面をなした下面１１ｂを残しており、Ｖ字形突起−平坦面−Ｖ字形突起−平坦面−・・・の連続面をなしている。そして、Ｖ字形突起１１ａの表面及び平坦面は鏡面に仕上げられている。
【００３３】
図３において、Ｌ１、Ｌ２は光源１５からの入射光を示しており、矢印の方向が光の進む方向を示している。Ｖ字形突起１１ａの形状は、先端の角度が８５°±１５°（７０°〜１００°）の範囲内で、より好ましくは８０°〜９０°の範囲内に設定するのが良い。この角度の範囲がＶ斜面での反射率を一番高め、入射光Ｌ１、Ｌ２を効率よく上方（表示層側）に反射する。また、Ｖ字形突起１１ａの高さｈは１０〜３５μｍの範囲位となる。このＶ字形突起１１ａの高さｈはＶ字形突起１１ａの幅ｍから決まるもので、Ｖ字形突起１１ａの幅ｍは２０〜７０μｍの範囲に設定する。幅ｍが２０μｍより小さくすると反射効率が悪くなり、明るい照明が得られなくなる。一方、７０μｍより大きくするとＶ字形突起１１ａが鏡面をなしていることもあって表示板１０の上方から視認されるようになり、外観品質を損なうようになる。
【００３４】
光源１５からの光で、Ｖ字形突起１１ａのＶ斜面に当たった光（Ｌ１、Ｌ２）は反射を起こして上方に向かって反射される。一般に、表示板は光源に近いところは光源の放射光が多く当たるために明るく照明される。一方、光源から遠くの所は光量が少なくなるので暗くなる。しかしながら、複数のＶ字形突起１１ａは光源１５を中心として同心円状に形成してあることから、更に、光源１５から遠のく従ってピッチを狭くして密に形成してあることから、光源１５から遠のく従ってＶ字形突起１１ａからの反射光も多くなり、これによって明るさが明るくなり、全体的に均一な明るさが得られるようになる。
【００３５】
光透過性基板１１は透明なポリカーボネイト樹脂などの透明なプラスチック材を用いて射出成形方法で形成する。その時、Ｖ字形突起１１ａ、並びに、光透過性基板１１の下面側の鏡面仕上げ、即ち、Ｖ字形突起１１ａの表面や相隣るＶ字形突起の間の平坦面の鏡面仕上げは金型からの転写方法で形成する。この光透過性基板１１の厚みは略０．４〜０．６ｍｍの範囲の厚みに形成される。尚、光透過性基板１１に用いる材料はポリカーボネイト樹脂に限るものではなく、ポリイミド樹脂やポリエチレン樹脂、ポリプロピレン樹脂、ポリアセタール樹脂、ポリスチレン樹脂、アクリル樹脂などの耐熱性や耐湿性、耐光性などに優れた樹脂材料を用いることがきる。
【００３６】
表示層１３は表示板としての表示役割を果たす表示層である。時計用表示板においては、時字などの指標や時計としての外観の質感を高めるための装飾が施される。図１において、表示層１３を装飾膜１３ｂと時字などを示す指標１３ａとから構成している。装飾膜１３ｂは時計としての外観質感を高めるために設ける装飾で、光透過性を持っている。この装飾膜１３ｂは、透明なアクリル樹脂やウレタン樹脂、アルキッド樹脂、エポキシ樹脂などの樹脂に顔料や染料などを混ぜ合わせて生成した着色インクや着色樹脂塗料を用いて公知の印刷方法や塗装方法などで形成する。着色インクや着色樹脂塗料を用いる場合は、所要の透過性を確保しなければならないことから、顔料や染料などの着色剤を上記の樹脂に５〜１０重量部配合して着色インクや着色樹脂塗料を生成して５〜２０μｍの厚みに形成するのが好ましい。また、真空蒸着法やスパッタリング法、イオンプレーティング法などの乾式メッキ方法で光透過性を持たせた金属薄膜で形成することもできる。金属薄膜で装飾膜１３ｂを形成する場合でも、必要とする透過率を得ることから、５０〜２００Åの厚みに形成するのが好ましい。この厚みであると３０〜７０％の範囲の透過率が得られる。また、用いる金属は、Ａｕ、Ａｇ、Ａｌ、Ｃｕ、Ｃｏ、Ｃｒ、Ｎｉ、Ｐｔ、Ｐｄなどの金属やこれらの合金金属を用いることができ、色々な金属色調を持った装飾膜１３ｂを得ることができる。また、この装飾膜１３ｂは金属薄膜と有色樹脂被膜と積層した被膜でもって構成しても良い。各種の装飾を施すことができて装飾性を高めると共に装飾バリエーションを広げることができる。指標１３ａは、着色インクを用いてスクリーン印刷やパッド印刷などの公知の印刷方法で形成したり、切削加工方法やプレス加工方法、電鋳メッキ方法などの方法で形成した金属指標を貼付けたりして形成する。
【００３７】
以上の構造を取った表示板は、光源１５から光透過性基板１１に入射して光透過性基板１１の下面側に向かう光は、下面側に設けたＶ字形突起１１ａのＶ斜面で反射して表示層１３に向かって放射される。Ｖ斜面が鏡面を成して、７０°〜１００°の角度を成していることから多くの光を反射して反射効率を非常に高めている。そして、多くの反射光量で表示層を照明する。表示層１３の装飾膜１３ｂは透過性を持っていることから、光が装飾膜１３ｂを透過して外に放射される。そして、多くの反射光量の下で装飾膜１３ｂの装飾が明るい装飾として目に視認される。また、Ｖ字形突起１１ａを複数並べて、光源１５から遠のく（このことは、光透過性基板１１の中心部に近づくことになるが）に従って密になるように設けてあることより、光源１５から遠のいても多くの反射光量が得られ、表示層１３の照明明るさを均一化させる。尚、当然ながら、光源１５から表示層１３に向かって直接放射される光も現れる。この直接放射される光や光透過性基板１１のＶ字形突起１１ａによって反射される光でもって表示層１３が均一に明るく照明される。光源１５として用いるＬＥＤは発光輝度も明るく、そして、色々な発光色を持たせることができる。従って、表示板１０を明るく、均一な明るさの下で照明することができる。そして、発光色は求める仕様に応じて適宜に選択することができる。
【００３８】
また、光透過性基板１１は、相隣り合うＶ字形突起１１ａの間には平坦面が設けられている。この平坦面は表示板１０の上方から入射する外光を透過させるために設けており、この平坦面を通して多くの光量が表示板を透過し、表示板の下面側に配設したソーラーセルに発電作用を起こさせる。近年のソーラーセルは光電変換効率も非常に高くなってきており、光透過率が１５％で満足する発電が得られるソーラーセルも用いられるようになってきている。光透過性基板１１の下面側の平坦面は、ソーラーセルの発電に支障を及ぼさない面積をもって形成されている。
【００３９】
以上の構造を取った表示板１０は、表示板自体を明るく照明する構造にもなっていると共に、ソーラーセルにも適用できる構造にもなっている。そして、表示板１０の照明は光透過性基板１枚の構成で達成できることから、薄型にした照明構造が得られる。
【００４０】
尚、本実施形態に係る表示板１０は、光透過性基板１１の下面側にＶ字形突起１１ａを設けて、そのＶ字形突起１１ａを反射手段に用いたが、このＶ字形突起に代えてＶ字形凹溝を設けて、Ｖ字形凹溝を反射手段として用いても同様な効果を得るものである。
【００４１】
次に、本発明の第２実施形態に係る表示板について図４、図５を用いて説明する。図４は本発明の第２実施形態に係る時計用表示板の要部断面図で、図５は図４におけるＦ部の拡大図を示している。第２実施形態に係る表示板２０は、図４に示すように、表示板２０の左右側面側にＬＥＤからなる光源１５を２個配設しての照明をする照明構造を取っているものである。ここでの表示板２０は、光透過性基板２１の下面側には反射手段を設け、上面側には光拡散層２２と、装飾膜２３ｂと指標２３ａとで構成した表示層２３とを設けている。光透過性基板２１の下面側に設けた反射手段は、左右の光源１５を中心にして形成したサークル状の複数並んだＶ字形突起２１ａと、その上に設けた反射膜２４とでもって構成を取っている。
【００４２】
光透過性基板２１の下面に設けた複数のＶ字形突起２１ａの形状は、前述の第１実施形態で図２をもって説明した形状と同じ形状を取っている。即ち、光透過性基板２１の右半分には右側の光源１５を中心にして形成した同心円状の複数並んだＶ字形突起２１ａを設け、左半分には左側の光源１５を中心にして形成した同心円状の複数並んだＶ字形突起２１ａを設けて、右半分のＶ字形突起２１ａと左半分のＶ字形突起２１ａとは光透過性基板２１の中心でもって左右対称になっている。また、このサークル状になっている複数並んだＶ字形突起２１ａは、光源１５に近い方はピッチが広く、光源１５から遠くなるに従ってピッチが狭くなっている。また、Ｖ字形突起２１ａの先端角は７０°〜１００°の範囲に形成され、Ｖ字形突起２１ａの幅は２０〜７０μｍ、高さは１０〜３５μｍの高さになっている。そして、Ｖ字形突起２１ａの表面は鏡面仕上げが施されている。
【００４３】
また、光透過性基板２１の平坦面を成す下面２１ｂは、図５に示すように、光透過性基板２１の外周部から中心部に向かうに従って立ち上がりの傾斜角θを持っている。そして、鏡面仕上げが施されている。この傾斜角θは光透過性基板２１の厚みと外形大きさによって決められるが、例えば時計用の表示板にあっては、傾斜角θは約１／１００の値を取ることができる。この傾斜角θは大きければ大きいほど効果が大きく現れるので、光透過性基板２１の厚みと外形大きさによって適宜に設定すると良い。光源１５から遠のくに従って立ち上がりの傾斜角θが付いていると、Ｖ字形凸溝２１ａのＶ斜面に入射する光（Ｌ３、Ｌ４）の量が多くなり、従って、Ｖ斜面でもっての反射する光量も多くなる。これによって明るさもアップする。
【００４４】
また、光透過性基板２１の下面側には、即ち、Ｖ字形突起２１ａの表面や平坦面を成して傾斜角θを持つ下面２１ｂの表面には反射膜２４を設けてある。この反射膜２４は反射率の高い金属被膜や白色樹脂被膜などから形成している。反射率の高い金属被膜としては、Ａｌ、Ｃｒ、Ｐｄ、Ａｇ、Ａｕ、Ｐｔなどの金属を用いて真空蒸着法やスパッタリング法などの乾式メッキ方法で形成することができる。また、白色樹脂被膜としては、白色樹脂塗料を用いて塗装方法などで形成することができる。このように反射膜２４を設けると、光源１５から入射する光の大半を効果的に光透過性基板２１の表示層２３側に反射させて、表示層２３を明るく照明する。
【００４５】
光透過性基板２１は透明なポリカーボネイト樹脂などの透明なプラスチック材を用いて射出成形方法で形成する。その時、Ｖ字形突起２１ａの形状や光透過性基板２１の下面側の鏡面仕上げは金型からの転写方法で形成する。この光透過性基板２１の厚みは略０．４〜０．６ｍｍの範囲の厚みに形成される。尚、光透過性基板２１に用いる材料はポリカーボネイト樹脂に限るものではなく、ポリイミド樹脂やポリエチレン樹脂、ポリプロピレン樹脂、ポリアセタール樹脂、ポリスチレン樹脂、アクリル樹脂などの耐熱性や耐湿性、耐光性などに優れた樹脂材料を用いることがきる。
【００４６】
光透過性基板２１の上面に設ける光拡散層２２は光を散乱させて照明明るさを更に均一にするために設ける。光拡散層２２は、透明なアクリル樹脂やエポキシ樹脂、ウレタン樹脂などの樹脂に酸化シリコン（ＳｉＯ２）粉末などの散乱微粒子を分散させたものからなる。光透過性基板２１の下面側に設けたＶ字形突起２１ａや反射膜２４から反射された光や光源１５からの直接光がこの光拡散層２２を透過すると散乱微粒子の作用を受けて光が散乱し、散乱光となって光拡散層２２を透過する。この光散乱によって照明の明るさが更に均一化する。尚、本実施形態においては散乱微粒子を分散した樹脂被膜から構成したが、樹脂被膜に代えて、透過性基板２１の上面に梨地処理を施して微小な凹凸を設け、この梨地面を光拡散層としても良い。
【００４７】
表示層２３は表示板としての表示役割を果たす表示層である。時計用表示板においては時字などの指標や時計として外観の質感を高めるための装飾が施される。図４において、指標２３ａは時字を示しており、装飾膜２３ｂは時計としての外観質感を高めるために設ける装飾で、光透過性を持っている。この装飾膜２３ｂは、前述の第１実施形態の装飾膜１３ｂと同様に、透明な樹脂に顔料や染料などを混ぜ合わせて形成した有色樹脂被膜や金属薄膜で形成した金属被膜などで形成することができる。指標２３ａは、着色インクを用いてスクリーン印刷やパッド印刷などの公知の印刷方法で形成したり、切削加工方法やプレス加工方法、電鋳メッキ方法などの方法で形成した金属指標を貼付けたりして形成する。
【００４８】
以上の構造を取った表示板２０は、均一な照明と、より明るい照明の下で表示が鮮明に視認される。また、光透過性基板２１の１枚基板で表示板２０を構成することから薄型化が可能になる。
【００４９】
次に、本発明の第３実施形態に係る表示板について図６、図７を用いて説明する。本発明の第３実施形態に係る表示板は、前述の第１実施形態と同様に、表示板３０の左右の側面側に２個のＬＥＤからなる光源１５を配設した中で用いられる。ここでの表示板３０は、光透過性基板３１の上面に梨地面からなる光拡散層３２と、装飾膜３３ｂと指標３３ａとで構成した表示層３３を有しており、また、光透過性基板３１の下面には左右の光源１５を中心にして同心円状に形成したサークル状の複数並んだＶ字形凹溝３１ａからなる反射手段を有している。従って、前述の第１実施形態で説明したＶ字形突起と形状の違いこそあれ、図２をもって示した模様と同じ模様を取っている。即ち、光透過性基板３１の中心でもって左右対称になるサークル状のＶ字形凹溝３１ａでもって形成された凹凸模様が設けられたものとなっている。このＶ字形凹溝３１ａはＶの字形をして下面３１ｂから沈んでの凹溝をなしているものである。また、光透過性基板３１の下面３１ｂと、この下面３１ｂに設けたＶ字形凹溝３１ａの表面は鏡面になっている。また、図示はしていないが光透過性基板３１の下面側にはソーラーセルが配設されている。
【００５０】
このＶ字形凹溝３１ａは、図７に示すように、光透過性基板３１の下面３１ｂ側において、光源１５に近い方はピッチが広く、光源１５から遠くになるに従ってピッチは狭くなっていて、光源１５から遠のくに従ってＶ字形凹溝３１ａはだんだん密の状態になって形成されている。また、相隣り合うＶ字形凹溝３１ａの間には平坦面をなした下面３１ｂを残しており、Ｖ字形凹溝−平坦面−Ｖ字形凹溝−平坦面−・・・の連続面をなしている。そして、Ｖ字形凹溝３１ａの表面及び平坦面は鏡面に仕上げられている。
【００５１】
図７において、Ｌ１、Ｌ２は光源１５からの入射光を示しており、矢印の方向が光の進む方向を示している。Ｖ字形凹溝３１ａの形状は、溝先端の角度が８５°±１５°（７０°〜１００°）の範囲内で、より好ましくは８０°〜９０°の範囲内で設けるのが良い。この角度の範囲がＶ斜面での反射率を一番高め、入射光Ｌ１、Ｌ２を効率よく上方（表示層側）に反射する。また、Ｖ字形凹溝３１ａの深さｔは１０〜３５μｍの範囲位となる。このＶ字形凹溝３１ａの深さｔはＶ字形凹溝１１ａの幅ｎから決まるもので、Ｖ字形凹溝３１ａの幅ｎは２０〜７０μｍの範囲に設定する。幅ｎが２０μｍより小さくすると反射効率が悪くなり、明るい照明が得られなくなる。一方、７０μｍより大きくするとＶ字形凹溝３１ａが鏡面をなしていることもあって表示板３０の上方から視認されるようになり、外観品質を損なうようになる。
【００５２】
光源１５からの光で、Ｖ字形凹溝３１ａのＶ斜面に当たった光（Ｌ１、Ｌ２）は反射を起こして上方に向かって反射される。一般に、表示板は光源に近いところは光源の放射光が多く当たるために明るく照明される。一方、光源から遠くの所は光量が少なくなるので暗くなる。しかしながら、複数のＶ字形凹溝３１ａを光源１５を中心として同心円状に形成してあることから、更に、光源１５から遠のく従ってピッチを狭くして密に形成してあることから、光源１５から遠のく従ってＶ字形凹溝３１ａからの反射光も多くなり、これによって光源１５から遠のいても明るさが明るくなり、全体的に均一な明るさが得られるようになる。
【００５３】
このＶ字形凹溝３１ａを設けた光透過性基板３１は透明なポリカーボネイト樹脂などの透明なプラスチック材を用いて射出成形方法で形成する。その時、Ｖ字形凹溝３１ａ、並びに、光透過性基板３１の下面側の鏡面仕上げ、即ち、Ｖ字形凹溝３１ａの表面や下面３１ｂの鏡面仕上げは金型からの転写方法で形成する。この光透過性基板３１の厚みは略０．４〜０．６ｍｍの範囲の厚みに形成される。尚、光透過性基板３１に用いる材料はポリカーボネイト樹脂に限るものではなく、ポリイミド樹脂やポリエチレン樹脂、ポリプロピレン樹脂、ポリアセタール樹脂、ポリスチレン樹脂、アクリル樹脂などの耐熱性や耐湿性、耐光性などに優れた樹脂材料を用いることがきる。
【００５４】
光透過性基板３１の上面に設ける光拡散層３２は光を散乱させて照明明るさを更に均一にするために設ける。本実施形態における光拡散層３２は、透過性基板３１の上面に梨地処理を施して微小な凹凸を設け、この梨地面を光拡散層として用いている。この光拡散層３２は、透明なアクリル樹脂やエポキシ樹脂、ウレタン樹脂などの樹脂に酸化シリコン（ＳｉＯ２）粉末などの散乱微粒子を分散させて形成した透明樹脂被膜を用いても何ら支障はない。この光拡散層３２を設けることによって光散乱が起き、照明の明るさが更に一層均一になる。
【００５５】
表示層３３は表示板としての表示役割を果たす表示層で、装飾膜３３ｂと時字などを示す指標３３ａとから構成している。装飾膜３３ｂは、時計としての外観質感を高めるために設ける装飾で、光透過性を持つ有色樹脂被膜や金属被膜でもって形成する。有色樹脂被膜でもって形成する場合は、透明なアクリル樹脂やウレタン樹脂、アルキッド樹脂、エポキシ樹脂などの樹脂に顔料や染料などを混ぜ合わせて生成した着色インクや着色樹脂塗料を用いて公知の印刷方法や塗装方法などで形成する。着色インクや着色樹脂塗料を用いる場合は、所要の透過性を確保しなければならないことから、顔料や染料などの着色剤を上記の樹脂に５〜１０重量部配合しての着色インクや着色樹脂塗料を生成して５〜２０μｍの厚みに形成するのが好ましい。また、金属被膜で形成する場合は、真空蒸着法やスパッタリング法、イオンプレーティング法などの乾式メッキ方法で光透過性を持たせた金属薄膜で形成する。透過率を必要とすることから、５０〜２００Åの厚みに形成するのが好ましい。この厚みであると３０〜７０％の範囲の透過率が得られる。また、用いる金属は、Ａｕ、Ａｇ、Ａｌ、Ｃｕ、Ｃｏ、Ｃｒ、Ｎｉ、Ｐｔ、Ｐｄなどの金属やこれらの合金金属を用いることができ、色々な金属色調を持った装飾膜３３ｂを得ることができる。また、この装飾膜３３ｂは金属薄膜と有色樹脂被膜と積層した被膜でもって構成しても良く、金属薄膜と有色樹脂被膜とを積層した構成を取ると装飾性を高めると共に装飾バリエーションを広げることができる。指標３３ａは、着色インクを用いてスクリーン印刷やパッド印刷などの公知の印刷方法で形成したり、切削加工方法やプレス加工方法、電鋳メッキ方法などの方法で形成した金属指標を貼付けたりして形成する。
【００５６】
以上の構造を取った表示板３０は、光源１５から光透過性基板３１に入射して光透過性基板３１の下面側に向かう光は、下面側に設けたＶ字形凹溝３１ａのＶ斜面で反射して光拡散層３２及び表示層３３に向かって放射される。Ｖ斜面が鏡面を成して、７０°〜１００°の角度を成していることから多くの光を反射して反射効率を非常に高めている。また、Ｖ字形凹溝３１ａを複数並べて、光源１５から遠のく（このことは、光透過性基板３１の中心部に近づくことになるが）に従って密になるように設けてあることより、光源１５から遠のいても多くの反射光量が得られ、光拡散層３２及び表示層３３に向かって反射される反射光量も均一化される。そして、多くの反射光量が光拡散層３２に入射し、光散乱した状態で表示層３３を透過して表示板３０の外に放射される。光拡散層３２の光散乱作用により照明の明るさが更に均一化されて明るい表示装飾が得られる。
【００５７】
また、光透過性基板３１は、相隣り合うＶ字形凹溝３１ａの間には平坦面が設けられている。この平坦面は表示板３０の上方から入射する外光を透過させるために設けており、この平坦面を通して多くの光量が表示板を透過し、表示板の下面側に配設したソーラーセルに発電作用を起こさせる。
【００５８】
以上の構造を取った表示板３０は、表示板自体を明るく照明する構造にもなっていると共に、ソーラーセルにも適用できる構造にもなっている。そして、表示板３０の照明は光透過性基板１枚の構成で達成できることから、薄型にした照明構造が得られる。
【００５９】
尚、本実施形態に係る表示板３０は、光透過性基板３１の下面側にＶ字形凹溝３１ａを設けて、そのＶ字形凹溝３１ａを反射手段に用いたが、このＶ字形凹溝に代えて、前述の第１実施形態と同様に、Ｖ字形突起を設けて、Ｖ字形突起を反射手段として用いても同様な効果を得る。
【００６０】
次に、本発明の第４実施形態に係る表示板について図８、図９、図１０を用いて説明する。本発明の第４実施形態に係る表示板４０は、図８に示すように、左右側面側に２個のＬＥＤからなる光源１５を配設して用いられる。表示板４０は、光透過性基板４１の上面に光拡散層４２と、装飾膜４３ｂと指標４３ａとで構成した表示層４３を設けており、光透過性基板４１の下面には左右の光源１５を中心にして放射状に複数並んだＶ字形突起４１ａを設けたものから構成している。そして、放射状に複数並んだＶ字形突起４１ａが反射手段を構成している。尚、図示はしていないが光透過性基板４１の下面側にはソーラーセルが配設されている。
【００６１】
この複数並んだＶ字形突起４１ａで形成した放射目は、図９に示すように、光透過性基板４１の右半分には右側の光源１５を中心にして放射目状に形成した複数のＶ字形突起４１ａが設けられ、左半分には左側の光源１５を中心にして放射目状に形成したＶ字形突起４１ａが設けられている。そして、右半分のＶ字形突起４１ａと左半分のＶ字形突起４１ａは光透過性基板４１の中心で左右対称になっている。複数の放射目状になっているＶ字形突起４１ａは、突起４１ａの長さが長いもの、長さが短いもの、長いものと短いものとの間の中間の長さのものの３種類で構成され、長さが長いものは光源１５に一番近い透過性基板４１の外周縁部から形成され、長さが短いものは光源１５からかなり遠のいた位置から形成され、中間の長さのものはその略中間の位置から形成されている。そして、この３種類からなるＶ字形突起４１ａは、光源１５から遠のいた所においては概ね等間隔に形成されている。従って、光源１５に近い位置ではＶ字形突起４１ａの数が少なく、光源１５から遠のくに従ってＶ字形突起４１ａの数が多くなっている。尚、本実施形態においては、放射目模様状に形成するＶ字形突起４１ａの長さを、長さが長いもの、長さが短いもの、長いものと短いものとの間の中間の長さのものの３種類で構成したが、特に３種類に限定するものではなく、表示板の大きさや突起の幅などを考慮して適宜に設定するのが良い。
【００６２】
図１０は光透過性基板４１の背面側から見た斜視図を示していて、図中において上方側が光透過性基板４１の下面側になり、下方側が光透過性基板の上面側になっている。光透過性基板４１の下面４１ｂに形成したＶ字形突起４１ａは、下面４１ｂから突出して形成されており、その先端角は７０°〜１００°の範囲内で、幅は２０〜４０μｍ、高さは１０〜３５μｍの範囲内で形成される。また、光透過性基板４１の下面４１ｂ、並びに、Ｖ字形突起４１ａの表面は鏡面になっており、光の反射性が高められるようにしてある。
【００６３】
光源１５から入射した光はＶ字形突起４１ａの両傾斜面（ｏ、ｐ）に当たり、そして、そこで反射された光の多くが光透過性基板４１の上面側にある光拡散層４２や表示層４３向かって放射される。光源１５から遠のくに従ってＶ字形突起４１ａの数が多くなることから、Ｖ字形突起４１ａの両傾斜面（ｍ、ｎ）からの反射光量も多くなり、それによって、照明の明るさも増してくる。
【００６４】
透過性基板４１はポリカーボネイト樹脂などの透明なプラスチック材を用いて射出成形方法で形成する。その時、Ｖ字形凸溝４１ａ、並びに、Ｖ字形凸溝４１ａの表面の鏡面仕上げや透過性基板４１の下面４１ｂの鏡面仕上げも金型からの転写方法で形成する。尚、光透過性基板４１に用いる材料はポリカーボネイト樹脂に限るものではなく、ポリイミド樹脂やポリエチレン樹脂、ポリプロピレン樹脂、ポリアセタール樹脂、ポリスチレン樹脂、アクリル樹脂などの耐熱性や耐湿性、耐光性などに優れた樹脂材料を用いることがきる。
【００６５】
透過性基板４１の上面に設ける光拡散層４２は光を散乱させて照明明るさを更に均一にするために設ける。光拡散層４２は、透明なアクリル樹脂やエポキシ樹脂、ウレタン樹脂などの樹脂に酸化シリコン（ＳｉＯ２）粉末などの散乱微粒子を分散させたものからなる。光透過性基板４１の下面側に設けた放射目状のＶ字形突起４１ａから反射された光や光源１５からの直接光がこの光拡散層４２を透過すると散乱微粒子の作用を受けて光が散乱し、散乱光となって光拡散層４２を透過する。この光散乱によって照明の明るさが更に一層均一になる。尚、本実施形態においては散乱微粒子を分散した樹脂被膜から構成したが、樹脂被膜に代えて、光透過性基板４１の上面に梨地処理を施して微小な凹凸を設け、この梨地面を光拡散層としても構わない。
【００６６】
表示層４３は表示板としての表示役割を果たす表示層で、装飾膜４３ｂと時字などを示す指標４３ａとから構成している。装飾膜４３ｂは、時計としての外観質感を高めるために設ける装飾で、光透過性を持つ有色樹脂被膜や金属被膜でもって形成する。有色樹脂被膜でもって形成する場合は、透明なアクリル樹脂やウレタン樹脂、アルキッド樹脂、エポキシ樹脂などの樹脂に顔料や染料などを混ぜ合わせて生成した着色インクや着色樹脂塗料を用いて公知の印刷方法や塗装方法などで形成する。着色インクや着色樹脂塗料を用いる場合は、所要の透過性を確保しなければならないことから、顔料や染料などの着色剤を上記の樹脂に５〜１０重量部配合しての着色インクや着色樹脂塗料を生成して５〜２０μｍの厚みに形成するのが好ましい。また、金属被膜で形成する場合は、真空蒸着法やスパッタリング法、イオンプレーティング法などの乾式メッキ方法で光透過性を持たせた金属薄膜で形成する。透過率を必要とすることから、５０〜２００Åの厚みに形成するのが好ましい。この厚みであると３０〜７０％の範囲の透過率が得られる。また、用いる金属は、Ａｕ、Ａｇ、Ａｌ、Ｃｕ、Ｃｏ、Ｃｒ、Ｎｉ、Ｐｔ、Ｐｄなどの金属やこれらの合金金属を用いることができ、色々な金属色調を持った装飾膜３３ｂを得ることができる。また、この装飾膜４３ｂは金属薄膜と有色樹脂被膜と積層した被膜でもって構成しても良く、金属薄膜と有色樹脂被膜とを積層した構成を取ると装飾性を高めると共に装飾バリエーションを広げることができる。指標４３ａは、着色インクを用いてスクリーン印刷やパッド印刷などの公知の印刷方法で形成したり、切削加工方法やプレス加工方法、電鋳メッキ方法などの方法で形成した金属指標を貼付けたりして形成する。
【００６７】
以上の構造を取った表示板４０は、均一な明るさの照明の下で鮮明な表示装飾を視認することができる。また、光透過性基板４１の１枚の厚さだけで照明構造が取れるので時計の薄型化も可能になる。
【００６８】
尚、本実施形態における表示板４０は、放射目状に形成した複数のＶ字形突起４１ａを光透過性基板４１の下面から突出する形状で形成したものから構成したが、Ｖ字形突起４１ａに代えてＶ字形凹溝を彫り込んだ形状で構成しても同じ効果が得られる。
【００６９】
また、本実施形態の表示板４０の構成において、光透過性基板４１の下面４１ｂを傾斜を持たせた形状にすることもできる。外周縁部から中心部に向かうに従って立ち上がりの傾斜が付いていると、光源から遠のくに従ってＶ字形突起４１ａのＶ斜面に入射する光の量も多くなり、よってＶ斜面でもって反射する光量も多くなる。これによって明るさもアップする。
【００７０】
また、本実施形態の表示板４０においては、光透過性基板４１の下面側に放射目状に設けた複数のＶ字形突起４１ａの相隣り合うＶ字形凹溝３１ａの間には下面４１ｂの平坦面が残って設けられている。この平坦面は表示板４０の上方から入射する外光を透過させるために設けており、この平坦面を通して多くの光量が透過し、表示板の下面側に配設したソーラーセルに発電作用を起こさせる。
【００７１】
以上の構造を取った表示板４０は、表示板自体を明るく照明する構造にもなっていると共に、ソーラーセルにも適用できる構造にもなっている。
【００７２】
以上説明した本発明の実施形態は光源を２個用いたもので説明した。表示板の大きさが小さいものは光源が１個でも十分明るく照明することができる。表示板の大きさを見て、適宜に光源の個数を設定すると良い。表示板が大きく、光源が複数個必要とされる場合は、表示板を光源の数の分で等分割して光源に対応する領域を決めて、その領域はその対応する光源を中心にしてサークル状に、或いは、放射目状にＶ字形突起またはＶ字形凹溝を設けるようにすれば良い。何れにしても、従来技術での構造と比較すると光源の数は少なくすることが可能である。
【００７３】
また、時計用表示板を例にとって本発明の表示板の構造を説明したが、本発明の構造は時計に限らず、計器類の表示板やその他の電子表示機器の表示板にも適用できる。そして、本発明の構造を用いた電子表示機器は表示板１枚の厚さでもって表示の照明ができることから薄型化が可能になる。そしてその中で、均一なる明るさの表示照明を得ることができる。
【図面の簡単な説明】
【００７４】
【図１】本発明の第１実施形態に係る時計用表示板の構成を示す図で、図１の（ａ）は平面図、図１の（ｂ）は図１の（ａ）におけるＤ−Ｄ断面図である。
【図２】図１における表示板の背面を模式的に表した背面図である。
【図３】図１の（ｂ）におけるＥ部拡大断面図である。
【図４】本発明の第２実施形態に係る時計用表示板の要部断面図である。
【図５】図４におけるＦ部の拡大図である。
【図６】本発明の第３実施形態に係る時計用表示板の要部断面図である。
【図７】図６におけるＧ部の拡大図である。
【図８】本発明の第４実施形態に係る時計用表示板の構成を示す図で、図８の（ａ）は平面図、図８の（ｂ）は図８の（ａ）におけるＤ−Ｄ断面図である。
【図９】図８における表示板の背面を模式的に表した背面図である。
【図１０】図９におけるＨ部の要部を拡大して示した斜視図である。
【図１１】携帯時計の表示板の側面側にＬＥＤなる光源を配設して表示板を照明する従来の照明構造を示したもので、図１１の（ａ）は平面図、図１１の（ｂ）は側面図である。
【符号の説明】
【００７５】
１０、２０、３０、４０    表示板
１１、２１、３１、４１    光透過性基板
１１ａ、２１ａ、４１ａ    Ｖ字形突起
３１ａ                    Ｖ字形凹溝
１１ｂ、２１ｂ、３１ｂ、４１ｂ    下面
１３、２３、３３、４３    表示層
１３ａ、２３ａ、３３ａ、４３ａ    指標
１３ｂ、２３ｂ、３３ｂ、４３ｂ    装飾膜
１５    光源
２２、３２、４２    光拡散層
２４    反射膜
【図１】
2006208221.tif 000003
【図２】
2006208221.tif 000004
【図３】
2006208221.tif 000005
【図４】
2006208221.tif 000006
【図５】
2006208221.tif 000007
【図６】
2006208221.tif 000008
【図７】
2006208221.tif 000009
【図８】
2006208221.tif 000010
【図９】
2006208221.tif 000011
【図１０】
2006208221.tif 000012
【図１１】
2006208221.tif 000013